(57)【要約】  ワイヤレス通信ネットワーク中でリソースを割り振るための技術が提供されている。この技術は一般的に、ワイヤレス通信ネットワークの無線（ＯＴＡ）リソースを割り振る際に使用するためのリソース交渉情報を含む第１のメッセージを、バックホール接続を通して送信することと、第１のメッセージのリソース交渉情報を補足するための補足的な情報を含む第２のメッセージを、ＯＴＡ接続を通して送信することとを含む。【選択図】    図４
2012517196.tif 000002
【特許請求の範囲】
【請求項１】
ワイヤレス通信ネットワーク中で、リソース割り振り情報を運ぶための方法において、
前記ワイヤレス通信ネットワークの無線（ＯＴＡ）リソースを割り振る際に使用するためのリソース交渉情報を含む第１のメッセージを、バックホール接続を通して送信することと、
前記第１のメッセージの前記リソース交渉情報を補足するための補足的な情報を含む第２のメッセージを、ＯＴＡ接続を通して送信することとを含む方法。
【請求項２】
前記リソース交渉情報は、平均干渉メトリック、チャネル状態情報、または、サービス品質（ＱｏＳ）情報のうちの少なくとも１つを含む請求項１記載の方法。
【請求項３】
前記補足的な情報は、送信デバイスが送信バッファ中にペンディングパケットを有しているか否かを示す１つ以上のビットを含む請求項１記載の方法。
【請求項４】
前記ペンディングパケットは、指定された最大待ち時間を有し、
前記１つ以上のビットは、前記ペンディングパケットの高い優先度を示す少なくとも１つのビットを含む請求項３記載の方法。
【請求項５】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１記載の方法。
【請求項６】
ワイヤレス通信のリソースを割り振るための方法において、
前記ワイヤレス通信の無線（ＯＴＡ）リソースを割り振る際に使用するためのリソース交渉情報を含む第１のメッセージを、バックホール接続を通して受信することと、
前記第１のメッセージの前記リソース交渉情報を補足するための補足的な情報を含む第２のメッセージを、ＯＴＡ接続を通して受信することと、
前記リソース交渉情報と前記補足的な情報とに基づいて、ＯＴＡリソースを割り振ることとを含む方法。
【請求項７】
前記割り振ることは、
前記リソース交渉情報に基づいて、リソースをスケジュールすることと、
前記補足的な情報に基づいて、前記スケジューリングの確認または調節のうちの少なくとも１つを行うこととを含む請求項６記載の方法。
【請求項８】
前記リソース交渉情報は、平均干渉メトリック、チャネル状態情報、または、サービス品質（ＱｏＳ）情報のうちの少なくとも１つを含む請求項６記載の方法。
【請求項９】
前記補足的な情報は、送信デバイスが送信バッファ中にペンディングパケットを有しているか否かを示す１つ以上のビットを含む請求項６記載の方法。
【請求項１０】
前記ペンディングパケットは、指定された最大待ち時間を有し、
前記１つ以上のビットは、前記ペンディングパケットの高い優先度を示す少なくとも１つのビットを含む請求項９記載の方法。
【請求項１１】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項６記載の方法。
【請求項１２】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する論理と、
前記第１のメッセージの前記リソース交渉情報を補足するための補足的な情報を含む第２のメッセージを、ＯＴＡ接続を通して送信する論理とを具備する装置。
【請求項１３】
前記リソース交渉情報は、平均干渉メトリック、チャネル状態情報、または、サービス品質（ＱｏＳ）情報のうちの少なくとも１つを含む請求項１２記載の装置。
【請求項１４】
前記補足的な情報は、送信デバイスが送信バッファ中にペンディングパケットを有しているか否かを示す１つ以上のビットを含む請求項１２記載の装置。
【請求項１５】
前記ペンディングパケットは、指定された最大待ち時間を有し、
前記１つ以上のビットは、前記ペンディングパケットの高い優先度を示す少なくとも１つのビットを含む請求項１４記載の装置。
【請求項１６】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１２記載の装置。
【請求項１７】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する論理と、
前記第１のメッセージの前記リソース交渉情報を補足するための補足的な情報を含む第２のメッセージを、ＯＴＡ接続を通して受信する論理と、
前記リソース交渉情報と前記補足的な情報とに基づいて、ＯＴＡリソースを割り振る論理とを具備する装置。
【請求項１８】
前記割り振る論理は、前記リソース交渉情報に基づいて、リソースをスケジュールし、前記補足的な情報に基づいて、リソースのスケジューリングの確認または調節のうちの少なくとも１つを行う論理を備える請求項１７記載の装置。
【請求項１９】
前記リソース交渉情報は、平均干渉メトリック、チャネル状態情報、または、サービス品質（ＱｏＳ）情報のうちの少なくとも１つを含む請求項１７記載の装置。
【請求項２０】
前記補足的な情報は、送信デバイスが送信バッファ中にペンディングパケットを有しているか否かを示す１つ以上のビットを含む請求項１７記載の装置。
【請求項２１】
前記ペンディングパケットは、指定された最大待ち時間を有し、
前記１つ以上のビットは、前記ペンディングパケットの高い優先度を示す少なくとも１つのビットを含む請求項２０記載の装置。
【請求項２２】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１７記載の装置。
【請求項２３】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する手段と、
前記第１のメッセージの前記リソース交渉情報を補足するための補足的な情報を含む第２のメッセージを、ＯＴＡ接続を通して送信する手段とを具備する装置。
【請求項２４】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する手段と、
前記第１のメッセージの前記リソース交渉情報を補足するための補足的な情報を含む第２のメッセージを、ＯＴＡ接続を通して受信する手段と、
前記リソース交渉情報と前記補足的な情報とに基づいて、ＯＴＡリソースを割り振る手段とを具備する装置。
【請求項２５】
その上に命令を記憶させているコンピュータ読取可能媒体を具備する、ワイヤレス通信ネットワーク中で、リソース割り振り情報を運ぶためのコンピュータプログラムプロダクトにおいて、
前記命令は、１つ以上のプロセッサにより実行可能であり、
前記命令は、
第１のメッセージを、バックホール接続を通して送信するための命令と、
第２のメッセージを、無線（ＯＴＡ）接続を通して送信するための命令とを含み、
前記第１のメッセージに対する命令は、前記ワイヤレス通信ネットワークのＯＴＡリソースを割り振る際に使用するためのリソース交渉情報を含み、
前記第２のメッセージに対する命令は、前記第１のメッセージの前記リソース交渉情報を補足するための補足的な情報を含むコンピュータプログラムプロダクト。
【請求項２６】
その上に命令を記憶させているコンピュータ読取可能媒体を具備する、ワイヤレス通信ネットワークのリソースを割り振るためのコンピュータプログラムプロダクトにおいて、
前記命令は、１つ以上のプロセッサにより実行可能であり、
前記命令は、
第１のメッセージを、バックホール接続を通して受信するための命令と、
前記第１のメッセージのリソース交渉情報を補足するための補足的な情報を含む第２のメッセージを、無線（ＯＴＡ）接続を通して受信するための命令と、
前記リソース交渉情報と前記補足的な情報とに基づいて、ＯＴＡリソースを割り振るための命令とを含み、
前記第１のメッセージに対する命令は、前記ワイヤレス通信ネットワークのＯＴＡリソースを割り振る際に使用するためのリソース交渉情報を含むコンピュータプログラムプロダクト。
【請求項２７】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信するようにと、
前記第１のメッセージの前記リソース交渉情報を補足するための補足的な情報を含む第２のメッセージを、ＯＴＡ接続を通して送信するように構成されている少なくとも１つのプロセッサを具備する装置。
【請求項２８】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信するようにと、
前記第１のメッセージの前記リソース交渉情報を補足するための補足的な情報を含む第２のメッセージを、ＯＴＡ接続を通して受信するようにと、
前記リソース交渉情報と前記補足的な情報とに基づいて、ＯＴＡリソースを割り振るように構成されている少なくとも１つのプロセッサを具備する装置。
【発明の詳細な説明】
【米国特許法第１１９条の下での優先権の主張】
【０００１】
本特許出願は、“ワイヤレス通信システムにおける、ハイブリッドな無線およびバックホールベースの干渉管理のための方法および装置”と題し、２００９年２月３日に出願された、米国仮特許出願シリアル番号第６１／１４９，６４２号と、“ワイヤレス通信システムにおける、ハイブリッドな無線およびバックホールベースの干渉管理のシステムおよび方法”と題し、２００９年５月２２日に出願された、米国仮特許出願シリアル番号第６１／１８０，７０７号との利益を主張し、これらは、その譲受人に譲渡され、参照によりここに明示的に組み込まれている。
【背景】
【０００２】
分野
本開示のある側面は、ワイヤレス通信に関し、さらに詳細には、ワイヤレス接続の管理に関する。
【０００３】
背景
ワイヤレス通信システムは、音声、データ等のような、さまざまなタイプの通信コンテンツを提供するように、幅広く展開されている。こうしたシステムは、利用可能なシステムリソース（例えば、帯域幅および送信電力）を共有することにより、複数のユーザとの通信をサポートすることが可能である多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および、直交周波数分割多元接続（ＯＦＤＭＡ）システムを含む。
【０００４】
一般的に、ワイヤレス多元接続通信システムは、複数のワイヤレス端末に対する通信を同時にサポートすることができる。各端末は、フォワードリンク上およびリバースリンク上での送信を通して、１つ以上の基地局と通信する。フォワードリンク（またはダウンリンク）は、基地局から端末への通信リンクのことを指し、リバースリンク（またはアップリンク）は、端末から基地局への通信リンクのことを指す。この通信リンクは、単一入力単一出力、複数入力単一出力、または、複数入力複数出力（ＭＩＭＯ）のシステムを通して、確立してもよい。
【０００５】
ＭＩＭＯシステムは、データ送信のために、複数（ＮＴ本）の送信アンテナと複数（ＮＲ本）の受信アンテナとを用いる。ＮＴ本の送信アンテナとＮＲ本の受信アンテナとにより形成されるＭＩＭＯチャネルは、ＮＳ個の独立したチャネルに分解することができ、これは、空間チャネルとしても呼ばれる。ＮＳ個の独立したチャネルのそれぞれは、次元に対応する。ＭＩＭＯシステムは、複数の送信アンテナおよび受信アンテナにより生成される付加的な次元を利用する場合に、改善された性能（例えば、より高いスループットおよび／またはより大きな信頼性）を提供することができる。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互関係原理により、リバースリンクチャネルからフォワードリンクチャネルの推定が可能になるように、フォワードリンク送信とリバースリンク送信は、同じ周波数領域上にある。これにより、アクセスポイントにおいて複数のアンテナが利用可能であるときに、アクセスポイントが、フォワードリンク上で、送信ビームフォーミング利得を抽出することが可能になる。
【概要】
【０００７】
ある実施形態は、ワイヤレス通信ネットワーク中で、リソース割り振り情報を運ぶための方法を提供する。方法は、一般的に、ワイヤレス通信ネットワークの無線（ＯＴＡ）リソースを割り振る際に使用するためのリソース交渉情報を含む第１のメッセージを、バックホール接続を通して送信することと、第１のメッセージのリソース交渉情報を補足するための補足的な情報を含む第２のメッセージを、ＯＴＡ接続を通して送信することとを含む。
【０００８】
ある実施形態は、ワイヤレス通信ネットワークのリソースを割り振るための方法を提供する。方法は、一般的に、ワイヤレス通信の無線（ＯＴＡ）リソースを割り振る際に使用するためのリソース交渉情報を含む第１のメッセージを、バックホール接続を通して受信することと、第１のメッセージのリソース交渉情報を補足するための補足的な情報を含む第２のメッセージを、ＯＴＡ接続を通して受信することと、リソース交渉情報と補足的な情報とに基づいて、ＯＴＡリソースを割り振ることとを含む。
【０００９】
ある実施形態は、ワイヤレス通信ネットワーク中で、リソース割り振り情報を運ぶための装置を提供する。装置は、一般的に、ワイヤレス通信ネットワークの無線（ＯＴＡ）リソースを割り振る際に使用するためのリソース交渉情報を含む第１のメッセージを、バックホール接続を通して送信する論理と、第１のメッセージのリソース交渉情報を補足するための補足的な情報を含む第２のメッセージを、ＯＴＡ接続を通して送信する論理とを具備する。
【００１０】
ある実施形態は、ワイヤレス通信ネットワークのリソースを割り振るための装置を提供する。装置は、一般的に、ワイヤレス通信の無線（ＯＴＡ）リソースを割り振る際に使用するためのリソース交渉情報を含む第１のメッセージを、バックホール接続を通して受信する論理と、第１のメッセージのリソース交渉情報を補足するための補足的な情報を含む第２のメッセージを、ＯＴＡ接続を通して受信する論理と、リソース交渉情報と補足的な情報とに基づいて、ＯＴＡリソースを割り振る論理とを具備する。
【００１１】
ある実施形態は、ワイヤレス通信ネットワーク中で、リソース割り振り情報を運ぶための装置を提供する。装置は、一般的に、ワイヤレス通信ネットワークの無線（ＯＴＡ）リソースを割り振る際に使用するためのリソース交渉情報を含む第１のメッセージを、バックホール接続を通して送信する手段と、第１のメッセージのリソース交渉情報を補足するための補足的な情報を含む第２のメッセージを、ＯＴＡ接続を通して送信する手段とを具備する。
【００１２】
ある実施形態は、ワイヤレス通信ネットワークのリソースを割り振るための装置を提供する。装置は、一般的に、ワイヤレス通信の無線（ＯＴＡ）リソースを割り振る際に使用するためのリソース交渉情報を含む第１のメッセージを、バックホール接続を通して受信する手段と、第１のメッセージのリソース交渉情報を補足するための補足的な情報を含む第２のメッセージを、ＯＴＡ接続を通して受信する手段と、リソース交渉情報と補足的な情報とに基づいて、ＯＴＡリソースを割り振る手段とを具備する。
【００１３】
ある実施形態は、ワイヤレス通信ネットワーク中で、リソース割り振り情報を運ぶための、その上に命令を記憶させているコンピュータ読取可能媒体を具備するコンピュータプログラムプロダクトを提供し、命令は、１つ以上のプロセッサにより実行可能である。命令は、一般的に、第１のメッセージを、バックホール接続を通して送信するための命令を含み、ここで、第１のメッセージに対する命令は、ワイヤレス通信ネットワークの無線（ＯＴＡ）リソースを割り振る際に使用するためのリソース交渉情報を含み、命令は、一般的に、第２のメッセージを、ＯＴＡ接続を通して送信するための命令を含み、ここで、第２のメッセージに対する命令は、第１のメッセージのリソース交渉情報を補足するための補足的な情報を含む。
【００１４】
ある実施形態は、ワイヤレス通信ネットワーク中で、リソース割り振り情報を運ぶための、その上に命令を記憶させているコンピュータ読取可能媒体を具備するコンピュータプログラムプロダクトを提供し、命令は、１つ以上のプロセッサにより実行可能である。命令は、一般的に、第１のメッセージを、バックホール接続を通して受信するための命令を含み、ここで、第１のメッセージに対する命令は、ワイヤレス通信の無線（ＯＴＡ）リソースを割り振る際に使用するためのリソース交渉情報を含み、命令は、一般的に、第１のメッセージのリソース交渉情報を補足するための補足的な情報を含む第２のメッセージを、ＯＴＡ接続を通して受信するための命令と、リソース交渉情報と補足的な情報とに基づいて、ＯＴＡリソースを割り振るための命令とを含む。
【００１５】
ある実施形態は、ワイヤレス通信ネットワーク中で、リソース割り振り情報を運ぶための装置を提供する。装置は、一般的に、ワイヤレス通信ネットワークの無線（ＯＴＡ）リソースを割り振る際に使用するためのリソース交渉情報を含む第１のメッセージを、バックホール接続を通して送信するようにと、第１のメッセージのリソース交渉情報を補足するための補足的な情報を含む第２のメッセージを、ＯＴＡ接続を通して送信するように構成されている少なくとも１つのプロセッサを具備する。
【００１６】
ある実施形態は、ワイヤレス通信ネットワークのリソースを割り振るための装置を提供する。装置は、一般的に、ワイヤレス通信の無線（ＯＴＡ）リソースを割り振る際に使用するためのリソース交渉情報を含む第１のメッセージを、バックホール接続を通して受信するようにと、第１のメッセージのリソース交渉情報を補足するための補足的な情報を含む第２のメッセージを、ＯＴＡ接続を通して受信するようにと、リソース交渉情報と補足的な情報とに基づいて、ＯＴＡリソースを割り振るように構成されている少なくとも１つのプロセッサを具備する。
【図面の簡単な説明】
【００１７】
【図１】図１は、例示的なワイヤレス通信システムを示している。
【図２】図２は、例示的なアクセスポイントおよびユーザ端末のブロックダイヤグラムを示している。
【図３】図３は、本開示のある側面にしたがった、複数のアクセスポイントを有する例示的なワイヤレス通信システムを示している。
【図４】図４は、本開示のある側面にしたがった、リソース割り振りを調整するためにアクセスポイントにより実行されてもよい例示的な動作を示している。
【図４Ａ】図４Ａは、図４において示されている動作を実行することが可能な例示的なコンポーネントを示している。
【図５】図５は、本開示のある側面にしたがった、リソース割り振りを調整するためにアクセスポイントにより実行されてもよい例示的な動作を示している。
【図５Ａ】図５Ａは、図５において示されている動作を実行することが可能な例示的なコンポーネントを示している。
【図６】図６は、本開示のある側面にしたがった、例示的な調整を示す例示的なタイミングダイヤグラムである。
【詳細な説明】
【００１８】
ここで説明するある技術を、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク等のような、さまざまなワイヤレス通信ネットワークに対して使用してもよい。用語“ネットワーク”および“システム”は、互換性があるように使用されることが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンドＣＤＭＡ（Ｗ−ＣＤＭＡ）および低チップレート（ＬＣＲ）を含んでいる。ｃｄｍａ２０００は、ＩＳ−２０００、ＩＳ−９５、および、ＩＳ−８５６標準規格をカバーしている。ＴＤＭＡネットワークは、グローバルシステムフォーモバイルコミュニケーション（ＧＳＭ（登録商標））のような、無線技術を実現してもよい。ＯＦＤＭＡネットワークは、エボルブドＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）等のような、無線技術を実現してもよい。ＵＴＲＡ、Ｅ−ＵＴＲＡ、および、ＧＳＭは、ユニバーサルモバイルテレコミュニケーションシステム（ＵＭＴＳ）の一部である。ロングタームエボリューション（ＬＴＥ）は、Ｅ−ＵＴＲＡを使用する来たるべきＵＭＴＳのリリースである。ＵＴＲＡ、Ｅ−ＵＴＲＡ、ＧＳＭ、ＵＭＴＳ、および、ＬＴＥは、“第３世代パートナーシッププロジェクト”（３ＧＰＰ）という名の組織による文書中に記述されている。ｃｄｍａ２０００は、“第３世代パートナーシッププロジェクト２”（３ＧＰＰ２）という名の組織による文書中に記述されている。これらのさまざまな無線技術および標準規格が、技術的に知られている。明確さのために、ＬＴＥに対して、技術のある側面を下記で説明し、下記の説明の大半では、ＬＴＥの専門用語を使用する。
【００１９】
単一搬送波変調と周波数ドメイン等化とを利用する、単一搬送波周波数分割多元接続（ＳＣ−ＦＤＭＡ）は、技術である。ＳＣ−ＦＤＭＡは、ＯＦＤＭＡシステムのものと、類似する性能と、事実上同じ全体的な複雑さとを有している。ＳＣ−ＦＤＭＡ信号は、その固有の単一搬送波構造のために、より低いピーク対平均電力比（ＰＡＰＲ）を有している。ＳＣ−ＦＤＭＡは、送信電力効率性の観点から、より低いＰＡＰＲが移動体端末に非常に利益をもたらすアップリンク通信において特に、大きな関心を集めている。これは、現在、３ＧＰＰロングタームエボリューション（ＬＴＥ）またはエボルブドＵＴＲＡにおけるアップリンク多元接続スキームに対する作業仮説である。
【００２０】
図１を参照すると、１つの実施形態にしたがった、多元接続ワイヤレス通信システムが示されている。アクセスポイント１００（ＡＰ）は、１つが１０４と１０６を含み、別のものが１０８と１１０を含み、さらに他のものが１１２と１１４を含む、複数のアンテナグループを含んでいてもよい。図１では、各アンテナグループに対して２つのアンテナだけが示されているが、各アンテナグループに対して、より多いまたはより少ないアンテナを利用してもよい。アクセス端末１１６（ＡＴ）は、アンテナ１１２および１１４と通信しており、ここで、アンテナ１１２は、フォワードリンク１２０を通してアクセス端末１１６に情報を送信し、リバースリンク１１８を通してアクセス端末１１６から情報を受信する。ＦＤＤシステムでは、通信リンクが、通信のために異なる周波数を使用してもよい。例えば、フォワードリンク１２０は、リバースリンク１１８により使用されているものとは異なる周波数を使用してもよい。
【００２１】
アクセスポイントは、端末との通信のために使用される固定局であってもよく、アクセスポイント、ノードＢ、エボルブドノードＢ（ｅＮｏｄｅ Ｂ）、または、他の何らかの専門用語としても呼ぶことがある。アクセス端末は、アクセス端末、ユーザ機器（ＵＥ）、ワイヤレス通信デバイス、端末、アクセス端末、または、他の何らかの専門用語と呼ぶこともある。
【００２２】
図２は、ＭＩＭＯシステム２００中の、（アクセスポイントとしても知られている）送信機システム２１０と、（アクセス端末としても知られている）受信機システム２５０との実施形態のブロックダイヤグラムである。送信機システム２１０において、多数のデータストリームに対するトラフィックデータが、データソース２１２から送信（ＴＸ）データプロセッサ２１４に提供される。
【００２３】
実施形態では、各データストリームは、それぞれの送信アンテナを通して送信される。ＴＸデータプロセッサ２１４は、各データストリームに対して選択された特定のコーディングスキームに基づいて、そのデータストリームに対するトラフィックデータをフォーマットし、コード化し、および、インターリーブし、コード化されたデータを提供する。
【００２４】
各データストリームに対するコード化されたデータは、ＯＦＤＭ技術を使用して、パイロットデータと多重化してもよい。パイロットデータは、典型的に、既知の方法で処理される既知のデータパターンであり、チャネル応答を推定するために、受信機システムにおいて使用することができる。各データストリームに対する多重化されたパイロットおよびコード化データは、その後、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調され（すなわち、シンボルマッピングされ）、変調シンボルを提供する。各データストリームに対する、データレート、コーディング、および、変調は、プロセッサ２３０により実行される命令により決定してもよい。
【００２５】
すべてのデータストリームに対する変調シンボルは、その後、ＴＸ ＭＩＭＯプロセッサ２２０に提供され、ＴＸ ＭＩＭＯプロセッサ２２０は、（例えば、ＯＦＤＭのために）変調シンボルをさらに処理してもよい。ＴＸ ＭＩＭＯプロセッサ２２０は、その後、ＮＴ個の変調シンボルストリームをＮＴ台の送信機（ＴＭＴＲ）２２２ａないし２２２ｔに提供する。ある実施形態では、ＴＸ ＭＩＭＯプロセッサ２２０は、データストリームのシンボルと、そこからシンボルが送信されるアンテナとに対して、ビームフォーミングの重みを適用する。
【００２６】
各送信機２２２は、それぞれのシンボルストリームを受信して処理し、１つ以上のアナログ信号を提供し、さらに、アナログ信号を調整して（例えば、増幅して、フィルタリングして、および、アップコンバートして）、ＭＩＭＯチャネルを通しての送信に適した変調された信号を提供する。その後、送信機２２２ａないし２２２ｔからのＮＴ個の変調信号は、ＮＴ本のアンテナ２２４ａないし２２４ｔから、それぞれ送信される。
【００２７】
受信機システム２５０において、ＮＲ本のアンテナ２５２ａないし２５２ｒにより、送信された変調信号を受信し、各アンテナ２５２から受信した信号は、それぞれの受信機（ＲＣＶＲ）２５４ａないし２５４ｒに提供される。各受信機２５４は、それぞれの受信した信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【００２８】
ＲＸデータプロセッサ２６０は、その後、特定の受信機処理技術に基づいて、ＮＲ台の受信機２５４からＮＲ個の受信したシンボルストリームを受け取って処理し、ＮＴ個の“検出した”シンボルストリームを提供する。ＲＸデータプロセッサ２６０は、その後、各検出したシンボルストリームを復調し、デインターリーブし、および、デコードし、データストリームに対するトラフィックデータを復元する。ＲＸデータプロセッサ２６０による処理は、送信機システム２１０における、ＴＸ ＭＩＭＯプロセッサ２２０とＴＸデータプロセッサ２１４とにより実行される処理と相補的である。
【００２９】
プロセッサ２７０は、どのプリコーディング行列を使用するかを周期的に決定する（下記で論じる）。プロセッサ２７０は、行列インデックス部分とランク値部分とを含むリバースリンクメッセージを構築する。
【００３０】
リバースリンクメッセージは、通信リンクおよび／または受信したデータストリームに関する、さまざまなタイプの情報を含んでいてもよい。リバースリンクメッセージは、その後、データソース２３６から多数のデータストリームに対するトラフィックデータも受信するＴＸデータプロセッサ２３８により処理され、変調器２８０により変調され、送信機２５４ａないし２５４ｒにより調整され、送信機システム２１０に返信される。
【００３１】
送信機システム２１０において、受信機システム２５０からの変調信号は、受信機システム２５０により送信されたリバースリンクメッセージを抽出するために、アンテナ２２４により受信され、受信機２２２により調整され、復調器２４０により復調され、ＲＸデータプロセッサ２４２により処理される。その後、プロセッサ２３０は、ビームフォーミングの重みを決定するために、どのプリコーディング行列を使用するかを決定し、それから、抽出したメッセージを処理する。
【００３２】
側面において、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、１つまたは複数のＭＴＣＨに対する、マルチメディアブロードキャストおよびマルチキャストサービス（ＭＢＭＳ）スケジューリングと、制御情報とを送信するために使用されるポイント・ツー・マルチポイントＤＬチャネルであるマルチキャスト制御チャネル（ＭＣＣＨ）とを含んでいる。一般的に、ＲＲＣ接続を確立した後に、ＭＢＭＳ（注：古いＭＣＣＨ＋ＭＳＣＨ）を受信するＵＥによってのみ、このチャネルが使用される。専用制御チャネル（ＤＣＣＨ）は、専用制御情報を送信し、ＲＲＣ接続を有するＵＥにより使用されるポイント・ツー・ポイントの双方向チャネルである。側面において、論理トラフィックチャネルは、ポイント・ツー・ポイントの双方向チャネルであり、ユーザ情報の転送に対して、１つのＵＥに専用である、専用トラフィックチャネル（ＤＴＣＨ）と、また、トラフィックデータを送信するためのポイント・ツー・マルチポイントのＤＬチャネルに対するマルチキャストトラフィックチャネル（ＭＴＣＨ）とを含んでいる。
【００３３】
側面において、伝送チャネルは、ＤＬとＵＬとに分類される。ＤＬ伝送チャネルは、ブロードキャストチャネル（ＢＣＨ）、ダウンリンク共有データチャネル（ＤＬ−ＳＤＣＨ）、および、ページングチャネル（ＰＣＨ）を含み、ＰＣＨは、ＵＥ電力セービングのサポートのためのものであり（ＤＲＸサイクルは、ネットワークによりＵＥに示される）、セル全体を通してブロードキャストされ、他の制御／トラフィックチャネルに対して使用することができるＰＨＹリソースにマッピングされている。ＵＬ伝送チャネルは、ランダムアクセスチャネル（ＲＡＣＨ）、要求チャネル（ＲＥＱＣＨ）、アップリンク共有データチャネル（ＵＬ−ＳＤＣＨ）、および、複数のＰＨＹチャネルを含んでいる。ＰＨＹチャネルは、１組のＤＬチャネルおよびＵＬチャネルを含んでいる。
【００３４】
ＤＬ ＰＨＹチャネルは、例えば、共通パイロットチャネル（ＣＰＩＣＨ）、同期化チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および、負荷インジケータチャネル（ＬＩＣＨ）を含んでいてもよい。
【００３５】
ＵＬ ＰＨＹチャネルは、例えば、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および、ブロードバンドパイロットチャネル（ＢＰＩＣＨ）を含んでいてもよい。
【００３６】
ワイヤレスネットワークにおけるバックホール動的干渉管理のための無線強化
図３は、複数のアクセスポイント１００、ＡＰ−１およびＡＰ−２を持つ例示的な多元接続ワイヤレス通信システムを示している。示している例では、ＡＰ−１は、単一のアクセス端末（ＡＴ−１）を担当している一方で、ＡＰ−２は、２つのＡＴ、ＡＴ−２およびＡＴ−３を担当している。ある側面にしたがうと、ＡＰのうちの１つ以上は、例えば、従来のセルラサービスによりカバーされないエリア中でサービスを提供するように確立されている、フェムトセルまたはピコセルの基地局であってもよい。
【００３７】
このような配置は、比較的計画されていないものであり、従来のセルラ基地局配置の定義されたジオメトリを欠いていてもよい。結果として、ＡＰ−１からの送信は、ＡＰ−２からの送信と干渉するかもしれない。干渉を低減するために、ＡＰ−１およびＡＰ−２は、通信とリソース割り振りとを調整することができる。
【００３８】
本開示のある側面にしたがうと、各ＡＰは、バックホールリンク３５０を通して、リソース交渉メッセージ３１０を周期的に交換してもよい。これらのメッセージは、チャネル条件についての、受信機における干渉についての、および、トラフィックフローのＱｏＳパラメータについての情報のような、送信をスケジュールすることおよび／または優先順位付けることを助けるためのさまざまなタイプの情報を含んでいてもよい。
【００３９】
ＡＰは、このようなメッセージ中で受信した情報を利用して、他のＡＰからの送信との干渉を低減する方法で、ＡＰがその上でデータを送るべき／受信すべきリソースを、分散的な方法で、決めてもよい。干渉を避けるために、ＱｏＳ要件を満たそうとしながらも、公平性を念頭において、送信周波数および送信電力を決めてもよい。
【００４０】
バックホール接続３５０は、典型的に、高データスループットが可能であり、一般的に、帯域幅制限されていないので、比較的大きな量の情報を、リソース交渉メッセージ中で交換することができ、これは、リソース割り振りに関するインテリジェントな決定を可能にすることを助けることができる。例えば、ある実施形態にしたがうと、バックホール接続３５０は、ワイヤードインターネットプロトコル（ＩＰ）接続であってもよい。
【００４１】
しかしながら、あいにく、１人以上の第三者（例えば、１つ以上のサービスプロバイダ）により、バックホール接続３５０が制御されるかもしれず、これは、結果として、リソース交渉メッセージを配信する際に、遅延の変動を大きくするかもしれない。リソース交渉メッセージの遅延した受信は、結果として、新鮮でない情報（例えば、古くなったチャネル条件を反映している情報）に基づいてなされるリソース割り振り決定になるかもしれない。
【００４２】
リソース交渉メッセージ中の情報の“新鮮さ”を保証することができないと、データ送信に対する、スペクトルリソースの効率的な割り振りを、効果的に調整するためのＡＰの能力が落ちるかもしれない。例えば、新鮮でない情報は、別のＡＰの送信と干渉しないように、ＡＰ自体のデータ送信を、ＡＰに不必要にやめさせる（“バックオフさせる”）ことがあり、結果として帯域幅利用が減少する。
【００４３】
しかしながら、本開示のある側面にしたがうと、ＡＰは、補足的な無線（ＯＴＡ）メッセージ３６０中で配信される情報により、（比較的低速のバックホールリンクを通して配信される）従来のリソース交渉メッセージ中で送られる情報を補強してもよい。
【００４４】
補足的なメッセージ３６０はＯＴＡを通して送られるので、補足的なメッセージが送られる時間と、補足的なメッセージが受信される時間との間の遅延は、バックホール３５０を通して送られるリソース交渉メッセージ３１０に対する対応する遅延より、非常に小さい。しかしながら、典型的に、スペクトルリソースは、わずかだと考えられるので、ＯＴＡメッセージングは、帯域幅制限されていることがあり、比較的小さい量の情報にＯＴＡメッセージを制限することが望ましいかもしれない。下記でより詳細に説明するように、ある側面にしたがうと、ＡＰは、送信バッファが満杯であるか否か、および、リソースに対する必要性が依然としてあるか否かを示すために、補足的なＯＴＡメッセージ３６０中で単一のビットを送ってもよい。
【００４５】
図４は、リソース割り振りを調整するために、アクセスポイントにより実行されてもよい例示的な動作４００を示している。示している動作は、図１〜３に関して上記で説明したＡＰのような、何らかの適切なコンポーネントにより実行されてもよい。
【００４６】
動作４００は、４０２において、バックホールリンクを通して、無線（ＯＴＡ）リソースを優先順位付けし、スケジュールするための情報（例えば、比較的低速の時間スケール情報）を送信することにより、開始する。例えば、上記の図３を参照すると、ＡＰ−１は、リソース交渉メッセージ３１０を使用して、バックホール接続を通して、ＡＰ−２に低速時間スケール情報を送信してもよい。
【００４７】
４０４において、低速時間スケール情報を補強するために、“補足的な”高速時間スケール情報が、ＯＴＡメッセージにより送信される。図３において示されているように、ＡＰ−１は、１つ以上のＯＴＡメッセージ３６０により、ＡＰ−２に高速時間スケール情報を送信してもよい。ある側面にしたがうと、高速時間スケール情報を、周期的にブロードキャストしてもよく、バッファ非空フラグのような、比較的少ない数のビット中に含めてもよい。ＡＰ−１は、何らかの適切なメカニズムにより、例えば、ＢＣＣＨ、ＰＣＣＨ、ＭＣＣＨ、および、ＤＣＣＨのような、ＬＴＥネットワークにおいて定められている制御チャネルのうちの１つを使用して、高速時間スケール情報を送信してもよい。他のタイプのネットワークに対しては、他の何らかの適切なチャネルを、補足的なＯＴＡメッセージングに対して使用してもよい。
【００４８】
何らかのケースでは、相当な遅延を有するかもしれないバックホールリンクを通して送られる情報を、ＯＴＡリンクを通して送られる補足的な情報で補強することにより、リソース割り振りに対して、ＡＰ−２が確実に“新鮮でない”情報を使用しないようにＡＰ−１が助けてもよい。
【００４９】
図５は、バックホールリンクを通して受信され、ＯＴＡメッセージングで補強される、低速時間情報に基づいて、リソース割り振りを調整するために、アクセスポイントにより実行されてもよい例示的な動作５００を示している。例えば、上記で説明した動作４００を実行するＡＰにより送られたメッセージを受信するＡＰによって、動作５００が実行されてもよい。
【００５０】
動作は、５０２において、バックホールリンクを通して、低速時間スケール情報を受信ことにより、開始する。５０４において、例えば、干渉を避けるために、低速時間スケール情報を使用して、ＯＴＡリソースを割り振ってもよい（例えば、優先順位付けしてもよい／スケジュールしてもよい）。５０６において、ＯＴＡを通して高速時間スケール情報を受信する。５０８において、高速時間スケール情報に基づいて、割り振られたＯＴＡリソースを確認または調節する。
【００５１】
図３を参照すると、ＡＰ−１が低いＱｏＳをこうむっていることを示すメッセージを受信したときに、ＡＰ−２は、ＡＰ−１が送信できるように、そのリンクを“バックオフ”することによって応答してもよい。ある側面にしたがうと、ＡＰは、その送信の優先度を低くし、そのデータ送信を後の時間へと再スケジューリングすることにより、リソース割り振りを調節してもよい。
【００５２】
ある側面にしたがうと、ＡＰ−２は、高速時間スケール情報を使用して、割り振られたリソースの優先度およびスケジューリングを調節ならびに／あるいは確認してもよい。高速時間スケール情報は、バックホール接続を通して受信した低速時間スケール情報よりも“より新鮮な”、通信ネットワークの状態に関する情報を、ＡＰ−２に提供することができる。ある側面にしたがうと、受信した高速時間スケール情報に応答して、ＡＰ−２は、スペクトルリソースのスケジュールされた使用を無効にするか、または、到来する“新鮮でない”低速時間スケール情報を無視してもよい。
【００５３】
上記で述べたシンプルな例のように、ＡＰは、その送信バッファ中に、送るためのデータをＡＰが依然として有していることを確認するために、送信バッファ“非空”フラグを表す、１つまたは２つのビットを送ってもよい。言い換えると、送信するためのデータを送信ＡＰが依然として有しているという表示を受信したときに、受信ＡＰは、結果として干渉になるかもしれない方法でリソースを割り振ることを“バックオフ”してもよい、および、やめてもよい。一方で、バッファが空であるという表示を受信したときに、受信ＡＰは、以前に割り振られたリソースを解放してもよい。当然、たとえ、リソース消費を犠牲にしても、付加的なビットを使用する場合には、ＯＴＡメッセージングを通してのさらに複雑なシグナリングも利用可能であってもよい。
【００５４】
ある側面にしたがうと、ＯＴＡメッセージ中のビットを使用して、トラフィック優先度を信号送信してもよい。このようなケースでは、（例えば、指定された最大待ち時間を持つ）低いパケット遅延のターゲットを有するペンディングトラフィックに対する高い優先度を信号送信するのに、１つ以上のＯＴＡビットを使用してもよい。例えば、時間ｔにおいてパケットが到着し、後の時間（ｔ＋デルタ）より前にパケットを送出する必要がある場合に、１つ以上のＯＴＡビットを使用して、高い優先度としてパケットにフラグを立ててもよく、ここで、デルタは、バックホール待ち時間よりも小さい。
【００５５】
図６は、バックホールメッセージ中で送られる情報を補強するために、ＯＴＡメッセージを使用する、複数のアクセスポイントＡＰ−１とＡＰ−２との間の例示的な通信交換６００を示している。
【００５６】
示している例では、ＡＰ−１は、詳細な情報を含むリソース交渉メッセージ３１０を、バックホール接続を通して、時間ｔ0において、送信してもよい。ＡＰ−２は、時間ｔ1において、リソース交渉メッセージ３１０を受信する。バックホール接続における遅延が原因となり、ｔ1とｔ0との間の遅延Δｔ1-0が著しいことがあり（Δｔ1-0は１００ｍｓとして示されている）、したがって、リソース交渉メッセージ３１０中で受信した情報が、新鮮でなくなっていることがある。
【００５７】
それゆえ、リソース交渉メッセージ３１０中に含まれている情報を補強するために、ＡＰ−２は、ＯＴＡメッセージ３６０を送信してもよい。示されているように、（ｔ2において）ＯＴＡメッセージ３６０を送信し、（ｔ3において）それを受信する間の遅延は、リソース交渉メッセージ３１０に対するものよりも、非常に小さいかもしれない（Δｔ3-2は１ｍｓとして示されている）。したがって、ＯＴＡメッセージ中に含まれている情報は“新鮮であり”、ＡＰ−２は、例えば、６０２においてバックオフ決定をするときに、この情報を使用してもよい。
【００５８】
ある側面にしたがうと、バックホール接続を通して受信した詳細な情報と、無線送信を通して受信したバッファ非空フラグビットとに応答して、ＡＰは、他のアクセスポイントとの干渉を制御する、管理する、および／または、避けるために、リンクを”バックオフ”するか否かの決定をしてもよい。ある側面にしたがうと、各アクセスポイントは、ＯＴＡメッセージが、何らかの所定の時間において、非空バッファを持つリンクを示すときにだけ、リソースを割り振ることをバックオフしてもよい。このスキームは、限られたスペクトルリソースの効率的な使用を確実にすることを助けることができる。
【００５９】
図面において示されているミーンズプラスファンクションブロックに対応する、さまざまなハードウェアならびに／あるいはソフトウェアのコンポーネントおよび／またはモジュールにより、上記で説明した方法のさまざまな動作を実行してもよい。例えば、図４ならびに図５において示されているブロック４００およびブロック５００は、図４Ａならびに図５Ａにおいて示されているミーンズプラスファンクションブロック４００Ａおよびブロック５００Ａに対応している。
【００６０】
本開示に関連して説明した、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実施するために設計されたこれらの何らかの組み合わせで、実現あるいは実行してもよい。汎用プロセッサはマイクロプロセッサであってもよいが、代替実施形態では、プロセッサは、何らかの市販のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【００６１】
本開示に関連して説明した方法またはアルゴリズムのステップは、直接、ハードウェアで、プロセッサにより実行されるソフトウェアモジュールで、あるいは、２つの組み合わせで具現化してもよい。ソフトウェアモジュールは、技術的に知られている何らかの形態の記憶媒体中に存在していてもよい。使用されることがある記憶媒体のうちのいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令または多くの命令を含んでおり、複数の異なるコードセグメントを通して、異なるプログラム間で、および、複数の記憶媒体にわたって、配布されてもよい。記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。
【００６２】
ここで開示した方法は、説明した方法を達成するための１つ以上のステップまたはアクションを含んでいる。方法のステップおよび／またはアクションは、特許請求の範囲から逸脱することなく、相互に入れ替えることができる。言い換えると、ステップまたはアクションの特有の順序が明記されていないなら、特許請求の範囲から逸脱することなく、特有のステップならびに／あるいはアクションの順序および／または使用を改良することができる。
【００６３】
説明した機能は、ハードウェアで、ソフトウェアで、ファームウェアで、または、これらの何らかの組み合わせで実現してもよい。ソフトウェアで実現した場合、機能は、１つ以上の命令として、コンピュータ読み取り可能媒体上に記憶されてもよい。記憶媒体は、コンピュータによりアクセスすることができる何らかの利用可能な媒体であってもよい。一例として、これらに限定されるものではないが、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。
【００６４】
ソフトウェアまたは命令は、送信媒体を介しても送信されてもよい。例えば、同軸ケーブル、光ファイバケーブル、撚り対、デジタル加入者回線（ＤＳＬ）、あるいは、赤外線、無線、およびマイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、およびマイクロ波のようなワイヤレス技術は、送信媒体の定義に含まれる。
【００６５】
さらに、適用可能であれば、ここで説明した方法および技術を実行するためのモジュールならびに／あるいは他の適切な手段が、ユーザ端末および／または基地局よりダウンロードできるか、ならびに／あるいは、そうでなければ、ユーザ端末および／または基地局により取得できることを正しく認識すべきである。例えば、ここで説明した方法を実行するための手段の転送を促進するために、このようなデバイスをサーバに結合することができる。代替的に、記憶装置手段（例えば、ＲＡＭや、ＲＯＭや、コンパクトディスク（ＣＤ）またはフロッピーディスクのような物理的な記憶媒体等）を通して、ここで説明したさまざまな方法を提供することができる。これにより、記憶装置手段をデバイスに結合または提供すると、ユーザ端末および／または基地局が、さまざまな方法を取得できる。さらに、ここで説明した方法および技術をデバイスに提供するための他の何らかの適切な技術を利用することができる。
【００６６】
特許請求の範囲は、上記で示したまさにそのコンフィギュレーションおよびコンポーネントに限定されるものではないことを理解すべきである。さまざまな改良、変更、および、バリエーションが、上記で説明した方法ならびに装置の構成、運用、および、詳細において、特許請求の範囲から逸脱することなく行われてもよい。
【００６７】
先述のものは、本開示の実施形態に向けられているが、開示の基本的な範囲から逸脱することなく、本開示の他のおよびさらなる実施形態を考案してもよく、開示の範囲は、以下に続く特許請求項の範囲により決定される。
【図１】
2012517196.tif 000003
【図２】
2012517196.tif 000004
【図３】
2012517196.tif 000005
【図４】
2012517196.tif 000006
【図４Ａ】
2012517196.tif 000007
【図５】
2012517196.tif 000008
【図５Ａ】
2012517196.tif 000009
【図６】
2012517196.tif 000010
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク中で、リソース割り振り情報を運ぶための方法において、
前記ワイヤレス通信ネットワークの無線（ＯＴＡ）リソースを割り振る際に使用するためのリソース交渉情報を含む第１のメッセージを、バックホール接続を通して送信することと、
前記第１のメッセージの前記リソース交渉情報を補足するための補足的な情報を含む第２のメッセージを、ＯＴＡ接続を通して送信することとを含む方法。
【請求項２】
前記リソース交渉情報は、平均干渉メトリック、チャネル状態情報、または、サービス品質（ＱｏＳ）情報のうちの少なくとも１つを含む請求項１記載の方法。
【請求項３】
前記補足的な情報は、送信デバイスが送信バッファ中にペンディングパケットを有しているか否かを示す１つ以上のビットを含む請求項１記載の方法。
【請求項４】
前記ペンディングパケットは、指定された最大待ち時間を有し、
前記１つ以上のビットは、前記ペンディングパケットの高い優先度を示す少なくとも１つのビットを含む請求項３記載の方法。
【請求項５】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１記載の方法。
【請求項６】
ワイヤレス通信ネットワークのリソースを割り振るための方法において、
前記ワイヤレス通信ネットワークの無線（ＯＴＡ）リソースを割り振る際に使用するためのリソース交渉情報を含む第１のメッセージを、バックホール接続を通して受信することと、
前記第１のメッセージの前記リソース交渉情報を補足するための補足的な情報を含む第２のメッセージを、ＯＴＡ接続を通して受信することと、
前記リソース交渉情報と前記補足的な情報とに基づいて、ＯＴＡリソースを割り振ることとを含む方法。
【請求項７】
前記割り振ることは、
前記リソース交渉情報に基づいて、リソースをスケジュールすることと、
前記補足的な情報に基づいて、前記スケジューリングの確認または調節のうちの少なくとも１つを行うこととを含む請求項６記載の方法。
【請求項８】
前記リソース交渉情報は、平均干渉メトリック、チャネル状態情報、または、サービス品質（ＱｏＳ）情報のうちの少なくとも１つを含む請求項６記載の方法。
【請求項９】
前記補足的な情報は、送信デバイスが送信バッファ中にペンディングパケットを有しているか否かを示す１つ以上のビットを含む請求項６記載の方法。
【請求項１０】
前記ペンディングパケットは、指定された最大待ち時間を有し、
前記１つ以上のビットは、前記ペンディングパケットの高い優先度を示す少なくとも１つのビットを含む請求項９記載の方法。
【請求項１１】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項６記載の方法。
【請求項１２】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する論理と、
前記第１のメッセージの前記リソース交渉情報を補足するための補足的な情報を含む第２のメッセージを、ＯＴＡ接続を通して送信する論理とを具備する装置。
【請求項１３】
前記リソース交渉情報は、平均干渉メトリック、チャネル状態情報、または、サービス品質（ＱｏＳ）情報のうちの少なくとも１つを含む請求項１２記載の装置。
【請求項１４】
前記補足的な情報は、送信デバイスが送信バッファ中にペンディングパケットを有しているか否かを示す１つ以上のビットを含む請求項１２記載の装置。
【請求項１５】
前記ペンディングパケットは、指定された最大待ち時間を有し、
前記１つ以上のビットは、前記ペンディングパケットの高い優先度を示す少なくとも１つのビットを含む請求項１４記載の装置。
【請求項１６】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１２記載の装置。
【請求項１７】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する論理と、
前記第１のメッセージの前記リソース交渉情報を補足するための補足的な情報を含む第２のメッセージを、ＯＴＡ接続を通して受信する論理と、
前記リソース交渉情報と前記補足的な情報とに基づいて、ＯＴＡリソースを割り振る論理とを具備する装置。
【請求項１８】
前記割り振る論理は、前記リソース交渉情報に基づいて、リソースをスケジュールし、前記補足的な情報に基づいて、リソースのスケジューリングの確認または調節のうちの少なくとも１つを行う論理を備える請求項１７記載の装置。
【請求項１９】
前記リソース交渉情報は、平均干渉メトリック、チャネル状態情報、または、サービス品質（ＱｏＳ）情報のうちの少なくとも１つを含む請求項１７記載の装置。
【請求項２０】
前記補足的な情報は、送信デバイスが送信バッファ中にペンディングパケットを有しているか否かを示す１つ以上のビットを含む請求項１７記載の装置。
【請求項２１】
前記ペンディングパケットは、指定された最大待ち時間を有し、
前記１つ以上のビットは、前記ペンディングパケットの高い優先度を示す少なくとも１つのビットを含む請求項２０記載の装置。
【請求項２２】
前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む請求項１７記載の装置。
【請求項２３】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する手段と、
前記第１のメッセージの前記リソース交渉情報を補足するための補足的な情報を含む第２のメッセージを、ＯＴＡ接続を通して送信する手段とを具備する装置。
【請求項２４】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する手段と、
前記第１のメッセージの前記リソース交渉情報を補足するための補足的な情報を含む第２のメッセージを、ＯＴＡ接続を通して受信する手段と、
前記リソース交渉情報と前記補足的な情報とに基づいて、ＯＴＡリソースを割り振る手段とを具備する装置。
【請求項２５】
ワイヤレス通信ネットワーク中で、リソース割り振り情報を運ぶための、その上に命令を記憶させているコンピュータ読取可能記憶媒体において、
前記命令は、１つ以上のプロセッサにより実行可能であり、
前記命令は、
第１のメッセージを、バックホール接続を通して送信するための命令と、
第２のメッセージを、無線（ＯＴＡ）接続を通して送信するための命令とを含み、
前記第１のメッセージに対する命令は、前記ワイヤレス通信ネットワークのＯＴＡリソースを割り振る際に使用するためのリソース交渉情報を含み、
前記第２のメッセージに対する命令は、前記第１のメッセージの前記リソース交渉情報を補足するための補足的な情報を含むコンピュータ読取可能記憶媒体。
【請求項２６】
ワイヤレス通信ネットワークのリソースを割り振るための、その上に命令を記憶させているコンピュータ読取可能記憶媒体において、
前記命令は、１つ以上のプロセッサにより実行可能であり、
前記命令は、
第１のメッセージを、バックホール接続を通して受信するための命令と、
前記第１のメッセージのリソース交渉情報を補足するための補足的な情報を含む第２のメッセージを、無線（ＯＴＡ）接続を通して受信するための命令と、
前記リソース交渉情報と前記補足的な情報とに基づいて、ＯＴＡリソースを割り振るための命令とを含み、
前記第１のメッセージに対する命令は、前記ワイヤレス通信ネットワークのＯＴＡリソースを割り振る際に使用するためのリソース交渉情報を含むコンピュータ読取可能記憶媒体。
【請求項２７】
ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信するようにと、
前記第１のメッセージの前記リソース交渉情報を補足するための補足的な情報を含む第２のメッセージを、ＯＴＡ接続を通して送信するように構成されている少なくとも１つのプロセッサを具備する装置。
【請求項２８】
ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信するようにと、
前記第１のメッセージの前記リソース交渉情報を補足するための補足的な情報を含む第２のメッセージを、ＯＴＡ接続を通して受信するようにと、
前記リソース交渉情報と前記補足的な情報とに基づいて、ＯＴＡリソースを割り振るように構成されている少なくとも１つのプロセッサを具備する装置。
【手続補正２】
【補正対象書類名】明細書
【補正対象項目名】００６７
【補正方法】変更
【補正の内容】
【００６７】
先述のものは、本開示の実施形態に向けられているが、開示の基本的な範囲から逸脱することなく、本開示の他のおよびさらなる実施形態を考案してもよく、開示の範囲は、以下に続く特許請求項の範囲により決定される。
以下に、本願出願の当初の特許請求の範囲に記載された発明を付記する。
［１］ワイヤレス通信ネットワーク中で、リソース割り振り情報を運ぶための方法において、
前記ワイヤレス通信ネットワークの無線（ＯＴＡ）リソースを割り振る際に使用するためのリソース交渉情報を含む第１のメッセージを、バックホール接続を通して送信することと、
前記第１のメッセージの前記リソース交渉情報を補足するための補足的な情報を含む第２のメッセージを、ＯＴＡ接続を通して送信することとを含む方法。
［２］前記リソース交渉情報は、平均干渉メトリック、チャネル状態情報、または、サービス品質（ＱｏＳ）情報のうちの少なくとも１つを含む［１］に記載の方法。
［３］前記補足的な情報は、送信デバイスが送信バッファ中にペンディングパケットを有しているか否かを示す１つ以上のビットを含む［１］に記載の方法。
［４］前記ペンディングパケットは、指定された最大待ち時間を有し、
前記１つ以上のビットは、前記ペンディングパケットの高い優先度を示す少なくとも１つのビットを含む［３］に記載の方法。
［５］前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む［１］に記載の方法。
［６］ワイヤレス通信のリソースを割り振るための方法において、
前記ワイヤレス通信の無線（ＯＴＡ）リソースを割り振る際に使用するためのリソース交渉情報を含む第１のメッセージを、バックホール接続を通して受信することと、
前記第１のメッセージの前記リソース交渉情報を補足するための補足的な情報を含む第２のメッセージを、ＯＴＡ接続を通して受信することと、
前記リソース交渉情報と前記補足的な情報とに基づいて、ＯＴＡリソースを割り振ることとを含む方法。
［７］前記割り振ることは、
前記リソース交渉情報に基づいて、リソースをスケジュールすることと、
前記補足的な情報に基づいて、前記スケジューリングの確認または調節のうちの少なくとも１つを行うこととを含む［６］に記載の方法。
［８］前記リソース交渉情報は、平均干渉メトリック、チャネル状態情報、または、サービス品質（ＱｏＳ）情報のうちの少なくとも１つを含む［６］に記載の方法。
［９］前記補足的な情報は、送信デバイスが送信バッファ中にペンディングパケットを有しているか否かを示す１つ以上のビットを含む［６］に記載の方法。
［１０］前記ペンディングパケットは、指定された最大待ち時間を有し、
前記１つ以上のビットは、前記ペンディングパケットの高い優先度を示す少なくとも１つのビットを含む［９］に記載の方法。
［１１］前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む［６］に記載の方法。
［１２］ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する論理と、
前記第１のメッセージの前記リソース交渉情報を補足するための補足的な情報を含む第２のメッセージを、ＯＴＡ接続を通して送信する論理とを具備する装置。
［１３］前記リソース交渉情報は、平均干渉メトリック、チャネル状態情報、または、サービス品質（ＱｏＳ）情報のうちの少なくとも１つを含む［１２］に記載の装置。
［１４］前記補足的な情報は、送信デバイスが送信バッファ中にペンディングパケットを有しているか否かを示す１つ以上のビットを含む［１２］に記載の装置。
［１５］前記ペンディングパケットは、指定された最大待ち時間を有し、
前記１つ以上のビットは、前記ペンディングパケットの高い優先度を示す少なくとも１つのビットを含む［１４］に記載の装置。
［１６］前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む［１２］に記載の装置。
［１７］ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する論理と、
前記第１のメッセージの前記リソース交渉情報を補足するための補足的な情報を含む第２のメッセージを、ＯＴＡ接続を通して受信する論理と、
前記リソース交渉情報と前記補足的な情報とに基づいて、ＯＴＡリソースを割り振る論理とを具備する装置。
［１８］前記割り振る論理は、前記リソース交渉情報に基づいて、リソースをスケジュールし、前記補足的な情報に基づいて、リソースのスケジューリングの確認または調節のうちの少なくとも１つを行う論理を備える［１７］に記載の装置。
［１９］前記リソース交渉情報は、平均干渉メトリック、チャネル状態情報、または、サービス品質（ＱｏＳ）情報のうちの少なくとも１つを含む［１７］に記載の装置。
［２０］前記補足的な情報は、送信デバイスが送信バッファ中にペンディングパケットを有しているか否かを示す１つ以上のビットを含む［１７］に記載の装置。
［２１］前記ペンディングパケットは、指定された最大待ち時間を有し、
前記１つ以上のビットは、前記ペンディングパケットの高い優先度を示す少なくとも１つのビットを含む［２０］に記載の装置。
［２２］前記第２のメッセージは、無線リソース制御（ＲＲＣ）シグナリングメッセージ、アクセス応答メッセージ、ページングメッセージ、または、ページング応答メッセージのうちの少なくとも１つを含むデータトラフィックに対する優先度を示す１つ以上のビットを含む［１７］に記載の装置。
［２３］ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信する手段と、
前記第１のメッセージの前記リソース交渉情報を補足するための補足的な情報を含む第２のメッセージを、ＯＴＡ接続を通して送信する手段とを具備する装置。
［２４］ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信する手段と、
前記第１のメッセージの前記リソース交渉情報を補足するための補足的な情報を含む第２のメッセージを、ＯＴＡ接続を通して受信する手段と、
前記リソース交渉情報と前記補足的な情報とに基づいて、ＯＴＡリソースを割り振る手段とを具備する装置。
［２５］その上に命令を記憶させているコンピュータ読取可能媒体を具備する、ワイヤレス通信ネットワーク中で、リソース割り振り情報を運ぶためのコンピュータプログラムプロダクトにおいて、
前記命令は、１つ以上のプロセッサにより実行可能であり、
前記命令は、
第１のメッセージを、バックホール接続を通して送信するための命令と、
第２のメッセージを、無線（ＯＴＡ）接続を通して送信するための命令とを含み、
前記第１のメッセージに対する命令は、前記ワイヤレス通信ネットワークのＯＴＡリソースを割り振る際に使用するためのリソース交渉情報を含み、
前記第２のメッセージに対する命令は、前記第１のメッセージの前記リソース交渉情報を補足するための補足的な情報を含むコンピュータプログラムプロダクト。
［２６］その上に命令を記憶させているコンピュータ読取可能媒体を具備する、ワイヤレス通信ネットワークのリソースを割り振るためのコンピュータプログラムプロダクトにおいて、
前記命令は、１つ以上のプロセッサにより実行可能であり、
前記命令は、
第１のメッセージを、バックホール接続を通して受信するための命令と、
前記第１のメッセージのリソース交渉情報を補足するための補足的な情報を含む第２のメッセージを、無線（ＯＴＡ）接続を通して受信するための命令と、
前記リソース交渉情報と前記補足的な情報とに基づいて、ＯＴＡリソースを割り振るための命令とを含み、
前記第１のメッセージに対する命令は、前記ワイヤレス通信ネットワークのＯＴＡリソースを割り振る際に使用するためのリソース交渉情報を含むコンピュータプログラムプロダクト。
［２７］ワイヤレス通信ネットワーク中で、リソース割り振り情報を運ぶための装置において、
前記ワイヤレス通信ネットワークの無線（ＯＴＡ）リソースを割り振る際に使用するためのリソース交渉情報を含む第１のメッセージを、バックホール接続を通して送信するようにと、
前記第１のメッセージの前記リソース交渉情報を補足するための補足的な情報を含む第２のメッセージを、ＯＴＡ接続を通して送信するように構成されている少なくとも１つのプロセッサを具備する装置。
［２８］ワイヤレス通信ネットワークのリソースを割り振るための装置において、
前記ワイヤレス通信ネットワークの無線（ＯＴＡ）リソースを割り振る際に使用するためのリソース交渉情報を含む第１のメッセージを、バックホール接続を通して受信するようにと、
前記第１のメッセージの前記リソース交渉情報を補足するための補足的な情報を含む第２のメッセージを、ＯＴＡ接続を通して受信するようにと、
前記リソース交渉情報と前記補足的な情報とに基づいて、ＯＴＡリソースを割り振るように構成されている少なくとも１つのプロセッサを具備する装置。
【国際調査報告】
2012517196.tif 000011
2012517196.tif 000012